(57)【要約】【課題】デジタル音声処理器で発生するノイズによりビート妨害が発生する。【解決手段】音声信号が出力端子に接続されたヘッドホンジャック３３を介してイヤホン６３に接続されたケーブル６２へ供給されるとともに、このケーブル６２で受信したＦＭ放送信号はヘッドホンジャック３３と入力端子３４間に挿入されたコンデンサ３６を介して入力端子３４へ供給されるとともに、ヘッドホンジャック３３とグランドとの間にインダクタ３７が挿入され、少なくとも入力端子３４とＦＭチューナ３５のグランド端子３９とは同一辺上に設けられたものであり、これにより、デジタル信号処理器４２で発生するノイズ等の原因によるビート妨害に対する妨害排除特性を向上させることができる。【選択図】  図１
2004357175.tif 000002
【特許請求の範囲】
【請求項１】
基準発振器の信号が供給されるデジタルデータ処理器が収納されたケースと同一のケース内に収納されるとともに高周波信号を受信する高周波受信器であって、前記高周波受信器は、前記高周波信号が供給される入力端子と、この入力端子が接続された受信部と、この受信部から出力される音声信号が供給される出力端子とを有するとともに前記入力端子と前記受信部と前記出力端子とは略四角形のプリント基板上に形成され、前記音声信号は前記出力端子に接続された接続端子を介して音声出力器が接続されたケーブルへ供給され、このケーブルで受信された前記高周波信号は前記接続端子と前記入力端子間に挿入されるとともに前記高周波信号を通過させるキャパシタを介して前記入力端子へ供給され、前記接続端子のグランド側とグランドとの間にインダクタが挿入され、少なくとも前記入力端子と前記受信部のグランドとは同一辺上に設けられた高周波受信器。
【請求項２】
接続端子のグランドと受信部のグランドとがインダクタを介して１点で接続された請求項１に記載の高周波受信器。
【請求項３】
音声信号は、デジタルデータ処理器内に集積化して設けられた増幅器を介して前記接続端子へ供給されるとともに、出力端子は入力端子の反対側に設けられた請求項１に記載の高周波受信器。
【請求項４】
高周波受信器を駆動させる電源は、電池よりデジタルデータ処理器内に設けられたＤＣ−ＤＣコンバータを介して供給されると共に、前記高周波受信器に設けられた前記電源の供給端子は、少なくとも入力端子が設けられた面とは異なった面に設けられた請求項１に記載の高周波受信器。
【請求項５】
受信部は、入力端子に接続された高周波増幅器と、この高周波増幅器の出力がその一方の入力に接続されると共に他方の入力には局部発振器の出力が接続された混合器と、この混合器の出力が接続されたバンドパスフィルタと、このバンドパスフィルタの出力が接続されるとともに出力端子へ音声信号を出力する音声信号処理回路と、前記局部発振器にループ接続されるＰＬＬ回路とから成り、このＰＬＬ回路へデジタルデータ処理器から送られる受信チャンネルデータが入力されるデータ端子は、少なくとも前記入力端子とは異なった面に設けられた請求項１に記載の高周波受信器。
【請求項６】
基準発振器と、この基準発振器の信号が供給されるデジタルデータ処理器と、このデジタルデータ処理器が収納されたケースと同一のケース内に収納されるとともに高周波信号を受信する高周波受信器とを有し、この高周波受信器は前記高周波信号が供給される入力端子と、この入力端子が接続された受信部と、この受信部の出力が供給される出力端子とを有し、この出力端子の信号が供給されるとともに音声出力器が接続されたケーブルへ前記信号を供給する接続端子とを備えた携帯型高周波受信装置であって、前記接続端子と前記出力端子との間には第１のインピーダンスが挿入され、前記ケーブルで受信した前記高周波信号は前記接続端子を介して前記入力端子へ供給されるとともに、前記接続端子と前記入力端子との間には第２のインピーダンスが挿入され、前記入力端子と前記接続端子との間の距離は、前記出力端子と前記接続端子との間の距離より短くした携帯型高周波受信装置。
【請求項７】
第１のインピーダンスは高周波信号を抑圧するフィルタとするとともに、第２のインピーダンスは、出力端子より出力される信号が抑圧されるフィルタとした請求項６に記載の携帯型高周波受信装置。
【請求項８】
第２のインピーダンスは、接続端子と入力端子との間に挿入されたキャパシタと、前記接続端子とグランドとの間に挿入されたインダクタンスより形成された請求項７に記載の携帯型高周波受信装置。
【請求項９】
第２のインピーダンスに接続される第１のグランドと、受信部のグランドとを近接して設けた請求項８に記載の携帯型高周波受信装置。
【請求項１０】
接続端子のグランドと受信部のグランドとは近接して配置された請求項９に記載の携帯型高周波受信装置。
【請求項１１】
デジタルデータ処理器には第２のグランドが接続され、第１のグランドと第２のグランドとは高周波的に分離された請求項９に記載の携帯型高周波受信装置。
【請求項１２】
デジタルデータ処理器と、これを駆動する電源電池との間にはＤＣ−ＤＣコンバータが挿入され、このＤＣ−ＤＣコンバータの出力と受信部を駆動させるために電源を供給する電源端子との間にローパスフィルタが挿入された請求項６に記載の携帯型高周波受信装置。
【請求項１３】
デジタルデータ処理器に接続された表示部を有し、接続端子と入力端子の間に設けられた入力線路と前記表示部との間にはシールド部材が挿入された請求項６に記載の携帯型高周波受信装置。
【請求項１４】
デジタルデータ処理器には、デジタル音声信号を記憶した記憶媒体より読み込んだデジタルデータをアナログ音声信号へ変換するＤ／Ａ変換器と、このＤ／Ａ変換器の出力が接続された増幅器とを有し、この増幅器は第１のインピーダンス素子と出力端子との間に挿入された請求項６に記載の携帯型高周波受信装置。
【請求項１５】
基準発振器と、この基準発振器の信号が供給されるデジタルデータ処理器と、このデジタルデータ処理器が収納されたケースと同一のケース内に収納されるとともに高周波信号を受信する高周波受信器とを有し、この高周波受信器は前記高周波信号が供給される入力端子と、この入力端子が接続された受信部と、この受信部の出力が供給される出力端子とを有し、この出力端子の信号が供給されるとともに音声出力器が接続されたケーブルへ前記信号を供給する接続端子とを備えた携帯型高周波受信装置であって、前記接続端子と前記出力端子との間には第１のインピーダンスが挿入され、前記ケーブルで受信した前記高周波信号は前記接続端子を介して前記入力端子へ供給されるとともに、前記接続端子と前記入力端子との間には第２のインピーダンスが挿入され、前記入力端子と前記接続端子との間に設けられた導体線路は、前記出力端子と前記接続端子との間に設けられた導体線路長より短くした携帯型高周波受信装置。
【発明の詳細な説明】
【０００１】
【発明の属する技術分野】
本発明は、デジタルデータ処理器と高周波信号を受信する受信部とがひとつの筐体内に収納された携帯型高周波受信装置に用いられる高周波受信器に関するものである。
【０００２】
【従来の技術】
以下、従来のＦＭ放送受信機能付き携帯型ＭＰ３プレーヤ（以降ラジオ付ＭＰ３プレーヤという。なお、これは携帯型高周波受信装置の一例として用いた）について図面を用いて説明する。図４は、従来のラジオ付ＭＰ３プレーヤのブロック図である。図４において、１はＦＭ放送を受信するＦＭチューナ（高周波受信器の一例として用いた）である。このＦＭチューナ１は、入力端子２、高周波増幅器３、混合器４、可変局部発振器５、バンドパスフィルタ６と、音声信号処理器７と出力端子８によって構成されている。
【０００３】
まず２は、ＦＭ放送信号が入力される入力端子である。この入力端子２に供給された高周波信号は、ＦＭ放送の周波数帯域である約８８ＭＨｚから１０８ＭＨｚの高周波信号を選択的に通過させるバンドパスフィルタ（図示せず）を介して高周波増幅器３へ供給され、この高周波増幅器３で増幅される。
【０００４】
４は、その一方の入力に高周波増幅器３の出力が接続されると共に、他方の入力には可変局部発振器５の出力が接続された混合器であり、この混合器４によって１０．７ＭＨｚの中間周波数へ変換される。
【０００５】
６はバンドパスフィルタであり、このバンドパスフィルタ６の通過帯域の中心周波数は略中間周波数と同じであり、その通過帯域幅は、ＦＭ放送の帯域幅である約１８０ＫＨｚとしてある。
【０００６】
７はバンドパスフィルタ６の出力が接続された音声信号処理部であり、中間周波数信号を復調し、音声信号へ変換するものである。そして、この音声処理部７の出力が出力端子８へ供給される。
【０００７】
９はスイッチであり、この一方の端子９ａには出力端子８が接続され、他方の端子９ｂにはデジタル音声処理器１０（デジタルデータ処理器の一例として用いた）に接続され、このスイッチ９の共通端子９ｃには増幅器１１が接続される。
【０００８】
なお、デジタル音声処理器１０では、このデジタル音声処理器１０に接続されたメモリ１２に記憶されたデジタル音声データをアナログ音声信号へ変換している。そしてこれによりスイッチ９では、メモリ１２に記憶された音声かＦＭ放送の信号かのいずれかの信号を選択し、増幅器１１へ供給することとなる。
【０００９】
なお、共通端子９ｃの出力はデジタル音声処理器１０へも分配され、ＦＭチューナ１で受信した信号をデジタル音声信号へ変換し、メモリ１２へ記憶させられるようになっている。
【００１０】
そしてこのアナログ音声信号が、インダクタ１３を介してコネクタ１４の接続端子１４ａへ供給される。一方このコネクタのグランド端子１４ｂは、インダクタ１５を介してグランドへ接続されるとともに、コンデンサ１６を介して入力端子２へ接続されている。そして上記の回路全てがケース１７内に収納されている。
【００１１】
２１は、コネクタ１４とイヤホン２２との間をつなぐケーブルである。このケーブル２１の信号ケーブル２１ａは接続端子１４ａと接続されて、音声信号が入力されることによってイヤホン２２より音として出力される。一方信号ケーブル２１ａに沿って設けられたグランドケーブル２１ｂは、接続端子１４ｂに接続されている。なお、このケーブル２１ｂはＦＭ放送を受信するアンテナとしても働かせられるように、その長さをＦＭ放送における最大波長の約１／４の長さとしている。
【００１２】
以上のように、デジタル音声処理器１０には、圧縮されたデジタル音声信号をアナログ音声信号へ変換するＤ／Ａ変換器や、アナログ音声信号をデジタル音声信号へと変換するＡ／Ｄ変換器などを有しており、それらの処理のためのクロック信号として水晶発振器１８（基準発振器の一例として用いた）の発振信号を用いていた。
【００１３】
なお、この出願の発明に関連する先行技術文献情報としては、例えば、特許文献１、特許文献２が知られている。
【００１４】
【特許文献１】
特開平０９−３３１２０９号公報
【特許文献２】
特開平１０−２５６９２５号公報
【００１５】
【発明が解決しようとする課題】
しかしながらこのような従来の携帯型高周波受信装置では、デジタル音声処理器１０のクロック信号として用いられる水晶発振器１８の信号の高調波がＦＭチューナ１の受信する周波数帯域内に発生すると、ビート妨害が発生してしまうという問題があった。
【００１６】
そこで本発明は、この問題を解決したもので、デジタル音声処理器１０で発生するノイズ等が原因となるビート妨害への妨害排除能力を向上させることのできる高周波受信器を提供することを目的としたものである。
【００１７】
【課題を解決するための手段】
この目的を達成するために本発明の高周波受信器は、基準発振器の信号が供給されるデジタルデータ処理器が収納されたケースと同一のケース内に収納されるとともに高周波信号を受信する高周波受信器であって、音声信号が出力端子に接続された接続端子を介して音声出力器に接続されたケーブルへ供給され、このケーブルで受信した前記高周波信号は前記接続端子と前記入力端子間に挿入されたキャパシタを介して前記入力端子へ供給されるとともに、前記接続端子とグランドとの間にはインダクタが挿入され、少なくとも前記入力端子と前記受信部のグランドとは同一辺上に設けられたものである。
【００１８】
これにより、デジタル信号処理器で発生するノイズ等によるビート妨害に対する妨害排除能力を向上させることができる。
【００１９】
【発明の実施の形態】
本発明の請求項１に記載の発明は、基準発振器の信号が供給されるデジタルデータ処理器が収納されたケースと同一のケース内に収納されるとともに高周波信号を受信する高周波受信器であって、前記高周波受信器は、前記高周波信号が供給される入力端子と、この入力端子が接続された受信部と、この受信部から出力される音声信号が供給される出力端子とを有するとともに前記入力端子と前記受信部と前記出力端子とは略四角形のプリント基板上に形成され、前記音声信号は前記出力端子に接続された接続端子を介して音声出力器が接続されたケーブルへ供給され、このケーブルで受信された前記高周波信号は前記接続端子と前記入力端子間に挿入されるとともに前記高周波信号を通過させるキャパシタを介して前記入力端子へ供給され、前記接続端子のグランド側とグランドとの間にインダクタが挿入され、少なくとも前記入力端子と前記受信部のグランドとは同一辺上に設けられた高周波受信器である。
【００２０】
これによりデジタル信号処理器で使用する基準発振器のクロックの高調波などがノイズとして接続端子と入力端子間の線路へ侵入することを少なくできる。従って、デジタル信号処理器が原因となるビート妨害特性を向上させることができる。
【００２１】
さらに、入力端子と受信部のグランドとは同一辺上に設けられているので、この受信部のグランドとインダクタンスのグランドとを近接して設けることができる。従って、デジタル信号処理器で使用する基準発振器のクロックの高調波などがノイズとして接続端子と入力端子間の線路へ侵入することを少なくできる。従って、デジタル信号処理器が原因となるビート妨害に対する妨害特性を向上させることができる。
【００２２】
請求項２に記載の発明は、接続端子のグランドと受信部のグランドとがインダクタを介して１点で接続された請求項１に記載の高周波受信器であり、これによりデジタル信号処理器で使用する基準発振器のクロックの高調波などがノイズとして接続端子と入力端子間の線路へ侵入することを少なくできる。従って、デジタル信号処理器が原因となるビート妨害に対する妨害特性を向上させることができる。
【００２３】
請求項３に記載の発明は、音声信号は、デジタルデータ処理器内に集積化して設けられた増幅器を介して前記接続端子へ供給されるとともに、出力端子は入力端子の反対側に設けられた請求項１に記載の高周波受信器であり、これにより接続端子と入力端子との距離を近くできると共に、デジタルデータ処理器を接続端子より離れた位置に配置させることができる。従って、デジタル信号処理器で使用する基準発振器のクロックの高調波などがノイズとして接続端子と入力端子間の線路へ侵入することを少なくできる。従って、デジタル信号処理器が原因となるビート妨害に対する妨害特性を向上させることができる。
【００２４】
請求項４に記載の発明における高周波受信器を駆動させる電源は、電池よりデジタルデータ処理器内に設けられたＤＣ−ＤＣコンバータを介して供給されると共に、前記高周波受信器に設けられた前記電源の供給端子は、少なくとも入力端子が設けられた面とは異なった面に設けられた請求項１に記載の高周波受信器であり、これによりデジタル信号処理器で使用する基準発振器のクロックなどがＤＣ−ＤＣコンバータの電源電圧に侵入したとしても入力端子より入力されることは少なくなる。従って、デジタル信号処理器が原因となるビート妨害に対する妨害特性を向上させることができる。
【００２５】
請求項５に記載の発明における受信部は、入力端子に接続された高周波増幅器と、この高周波増幅器の出力がその一方の入力に接続されると共に他方の入力には局部発振器の出力が接続された混合器と、この混合器の出力が接続されたバンドパスフィルタと、このバンドパスフィルタの出力が接続されるとともに出力端子へ音声信号を出力する音声信号処理回路と、前記局部発振器にループ接続されるＰＬＬ回路とから成り、このＰＬＬ回路へデジタルデータ処理器から送られる受信チャンネルデータが入力されるデータ端子は、少なくとも前記入力端子とは異なった面に設けられた請求項１に記載の高周波受信器であり、これによりデジタルデータ処理器の信号が入力端子へ侵入することが少なくなり、デジタル信号処理器が原因となるビート妨害に対する妨害特性を向上させることができる。
【００２６】
請求項６に記載の発明は、基準発振器と、この基準発振器の信号が供給されるデジタルデータ処理器と、このデジタルデータ処理器が収納されたケースと同一のケース内に収納されるとともに高周波信号を受信する高周波受信器とを有し、この高周波受信器は前記高周波信号が供給される入力端子と、この入力端子が接続された受信部と、この受信部の出力が供給される出力端子とを有し、この出力端子の信号が供給されるとともに音声出力器が接続されたケーブルへ前記信号を供給する接続端子とを備えた携帯型高周波受信装置であって、前記接続端子と前記出力端子との間には第１のインピーダンスが挿入され、前記ケーブルで受信した前記高周波信号は前記接続端子を介して前記入力端子へ供給されるとともに、前記接続端子と前記入力端子との間には第２のインピーダンスが挿入され、前記入力端子と前記接続端子との間の距離は、前記出力端子と前記接続端子との間の距離より短くした携帯型高周波装置であり、これによりデジタル信号処理器で使用する基準発振器のクロックの高調波などがノイズとして接続端子と入力端子間の線路へ侵入することを少なくできる。従って、デジタル信号処理器が原因となるビート妨害に対する妨害特性を向上させることができる。
【００２７】
請求項７に記載の発明における第１のインピーダンスは高周波信号を抑圧するフィルタとするとともに、第２のインピーダンスは、出力端子より出力される信号が抑圧されるフィルタとした請求項６に記載の携帯型高周波装置であり、これにより第１のインピーダンス素子では高周波信号を抑圧し、妨害排除特性を向上させることができる。
【００２８】
請求項８に記載の発明における第２のインピーダンスは、接続端子と入力端子との間に挿入されたキャパシタと、前記接続端子とグランドとの間に挿入されたインダクタンスより形成された請求項７に記載の携帯型高周波装置であり、これによりデジタルデータ処理器が発生するノイズを抑圧することができ、デジタル信号処理器が原因となるビート妨害に対する妨害排除特性を向上させることができる。
【００２９】
請求項９に記載の発明は、第２のインピーダンスに接続される第１のグランドと、受信部のグランドとを近接して設けた請求項８に記載の携帯型高周波装置であり、これにより基準発振器の高調波やデジタル信号処理器のノイズなどが入力端子に侵入し難くなる。従って、デジタルデータ処理器が発生するノイズを抑圧することができ、デジタル信号処理器が原因となるビート妨害に対する妨害排除特性を向上させることができる。
【００３０】
請求項１０に記載の発明は、接続端子のグランドと受信部のグランドとは近接して配置された請求項９に記載の携帯型高周波装置であり、これにより接続端子のグランドと受信部のグランドとを近接して設けることができる。従って、デジタルデータ処理器が発生するノイズを抑圧することができ、デジタル信号処理器が原因となるビート妨害に対する妨害排除特性を向上させることができる。
【００３１】
請求項１１に記載の発明は、デジタルデータ処理器には第２のグランドが接続され、第１のグランドと第２のグランドとは高周波的に分離された請求項９に記載の携帯型高周波装置であり、これにより基準発振器の高調波やデジタル信号処理器のノイズなどが入力端子に侵入し難くなる。従って、デジタルデータ処理器が発生するノイズを抑圧することができ、デジタル信号処理器が原因となるビート妨害に対する妨害排除特性を向上させることができる。
【００３２】
請求項１２に記載の発明は、デジタルデータ処理器と、これを駆動する電源電池との間にはＤＣ−ＤＣコンバータが挿入され、このＤＣ−ＤＣコンバータの出力と受信部を駆動させるために電源を供給する電源端子との間にローパスフィルタが挿入された請求項６に記載の携帯型高周波装置であり、これによりデジタル信号処理器で使用する基準発振器のクロックなどによるＤＣ−ＤＣコンバータの電源電圧の変動によって生じる高周波受信器の発振器の発振周波数の変動を小さくすることができる。
【００３３】
請求項１３に記載の発明は、デジタルデータ処理器に接続された表示部を有し、接続端子と入力端子の間に設けられた入力線路と前記表示部との間にはシールド部材が挿入された請求項６に記載の携帯型高周波装置であり、これにより表示部のノイズが入力端子より侵入することを防止できるので、デジタル信号処理器が原因となるビート妨害に対する妨害排除特性を向上させることができる。
【００３４】
請求項１４に記載の発明におけるデジタルデータ処理器には、デジタル音声信号を記憶した記憶媒体より読み込んだデジタルデータをアナログ音声信号へ変換するＤ／Ａ変換器と、このＤ／Ａ変換器の出力が接続された増幅器とを有し、この増幅器は第１のインピーダンス素子と出力端子との間に挿入された請求項６に記載の携帯型高周波装置であり、これにより高周波受信器からの音声信号とＤ／Ａ変換器からの信号の双方に対して、デジタルデータ処理器内の増幅器を用いることができるので、携帯型高周波装置を小型化することができる。
【００３５】
請求項１５に記載の発明は、基準発振器と、この基準発振器の信号が供給されるデジタルデータ処理器と、このデジタルデータ処理器が収納されたケースと同一のケース内に収納されるとともに高周波信号を受信する高周波受信器とを有し、この高周波受信器は前記高周波信号が供給される入力端子と、この入力端子が接続された受信部と、この受信部の出力が供給される出力端子とを有し、この出力端子の信号が供給されるとともに音声出力器が接続されたケーブルへ前記信号を供給する接続端子とを備えた携帯型高周波受信装置であって、前記接続端子と前記出力端子との間には第１のインピーダンスが挿入され、前記ケーブルで受信した前記高周波信号は前記接続端子を介して前記入力端子へ供給されるとともに、前記接続端子と前記入力端子との間には第２のインピーダンスが挿入され、前記入力端子と前記接続端子との間に設けられた導体線路は、前記出力端子と前記接続端子との間に設けられた導体線路長より短くした携帯型高周波装置であり、これによりデジタル信号処理器で使用する基準発振器のクロックの高調波などがノイズとして接続端子と入力端子間の線路へ侵入することを少なくできる。従って、デジタル信号処理器が原因となるビート妨害に対する妨害排除特性を向上させることができる。
【００３６】
（実施の形態１）
以下、本実施の形態におけるＦＭ放送受信機能付ＭＰ３プレーヤ（以降ラジオ付ＭＰ３プレーヤという。なお、これは携帯型高周波受信装置の一例として用いた）について図面を用いて説明する。図１は、本実施の形態におけるラジオ付ＭＰ３プレーヤのレイアウト図であり、図２は、同ラジオ付ＭＰ３プレーヤに用いるデジタル音声処理器の回路ブロック図であり、図３は同ラジオ付ＭＰ３プレーヤに用いるＦＭチューナのレイアウト図である。
【００３７】
まず図１において３１は、樹脂製の外装ケースである。この外装ケース３１内には長方形状をしたプリント基板３２が装着されている。このプリント基板３２上の一方の端部３２ａ側に３極のヘッドホンジャック（接続端子の一例として用いた）３３が搭載されている。
【００３８】
３４はＦＭチューナ３５の入力端子であり、ヘッドホンジャック３３のグランド端子３３ａが、コンデンサ３６（インピーダンス素子の一例として用いた）を介して入力端子３４に接続されている。なお、この入力端子３４には、約８８ＭＨｚから１０８ＭＨｚまでのＦＭ放送の周波数信号が入力される。
【００３９】
さらに、グランド端子３３ａはインダクタ３７を介してグランド３８へ接続されている。また、ＦＭチューナ３５のグランド端子３９は、入力端子３４と同一側面に設けられ、インダクタ３７と同じグランド３８で接地されている。なお、本実施の形態におけるコンデンサ３６の容量は１０００ｐＦであり、インダクタ３７のインダクタンスは４．７μＨとすることで、グランド端子３３ａに入力されるＦＭ放送信号が接地されることなく、入力端子３４へ供給することができるとともに、ＦＭ放送信号よりも低い音声信号などは接地され、入力端子３４側へ供給され難くすることができる。
【００４０】
なお、ここでグランド端子３３ａと入力端子３４との間の距離と、これらの間を接続する線の線路長は短くすることが重要である。これは、本実施の形態のような、ラジオ受信付ＭＰ３プレーヤにおいてはデジタル信号処理を行うためのさまざまな高周波ノイズが発する。そこで、ここでグランド端子３３ａと入力端子３４との間の距離と、これらの間を接続する線の線路長を短くすることによりこれらのノイズがＦＭチューナ３５へ侵入することを防止することができる。
【００４１】
次に４０はＦＭチューナの出力端子であり、アナログ音声信号がステレオＬｃｈ、Ｒｃｈ、夫々に出力されている。そしてこれら出力端子４０がデジタル音声処理器４２の音声入力端子４３へ接続される。この音声入力端子４３にはＬｃｈ、Ｒｃｈ夫々に利得を可変できる増幅器４４が接続され、この増幅器４４の利得を変化させることによって好みの音量となるように制御している。
【００４２】
次にこれらの増幅器４４の出力は、デジタル音声処理器４２の音声出力端子４５より出力される。この音声出力端子４５は、インダクタ４６を介してヘッドホンジャック３３の音声信号端子３３ｂへ接続される。なお、本実施の形態においてインダクタ４６は、４．７μＨであり、これによって約３００Ｈｚから３ＫＨｚの周波数であるアナログ音声信号に対してインピーダンスは小さくなるので、アナログ音声信号は通過する。一方８８ＭＨｚから１０８ＭＨｚのＦＭ放送信号に対してインピーダンスは大きくなるので、通過しにくい。
【００４３】
次に、デジタル音声処理器４２とその周辺回路の接続について説明する。デジタル音声処理器４２のデータ送出端子４７は、ＦＭチューナ３５のデータ端子４８へ接続され、ＦＭチューナ３５の受信チャンネルを決定するデータが送出される。４９は電池であり、この電池４９から１．５Ｖの電圧が出力され、携帯型高周波装置が駆動されている。
【００４４】
そして、この電池４９の陽極４９ａが、デジタル音声処理器４２の電源端子５０へ接続され、デジタル音声処理器４２を駆動している。また、電源端子５０へ供給された電圧は、デジタル音声処理器４２内に集積化されたＤＣ−ＤＣコンバータ５１へ供給されて、３Ｖに昇圧されて、電源出力端子５２より出力される。そして、この電源出力端子５２の出力がＦＭチューナ３５の電源端子５３へ供給され、ＦＭチューナ３５が動作する。なお、電源出力端子５２と電源端子５３との間には抵抗と２個のコンデンサとからなるローパスフィルタ５４が挿入されており、これにより、ＤＣ−ＤＣコンバータなどで発生したノイズを抑圧することができる。
【００４５】
さらに、デジタル音声処理器４２は、液晶パネル５５（表示器の一例として用いた）、メモリ５６（記憶媒体の一例として用いた）や、外部とデジタル音声信号をやり取りするために設けられたＵＳＢコネクタ（図示せず）や、デジタル音声処理器４２へ指示信号を与えるスイッチ（図示せず）などと接続される。
【００４６】
次に本実施の形態におけるデジタル音声処理器４２について、図２を用いて説明する。図２において、デジタル音声処理器４２は集積化されたＩＣであり、このデジタル音声処理器４２内には、音声信号を処理する信号処理部７２を有している。そして、この信号処理部７２部には、メモリ端子７１に接続されたメモリ５６（図１に示す）に記憶されたデジタル音声データをアナログ音声信号へ変換するＤ／Ａ変換器７３と、アナログ音声信号をデジタル音声データへ変換するＡ／Ｄ変換器７４とを有している。
【００４７】
７５は、Ｄ／Ａ変換器７３の出力が、一方の端子７５ａに接続されるとともに、他方の端子７５ｂには音声入力端子４３に接続された切替えスイッチである。そしてこの切替えスイッチ７５の共通端子７５ｃは、増幅器４４へ接続される。つまり、この切替えスイッチ７５は、メモリ５６（図１）に記憶された音声か、ＦＭ放送の信号かいずれか一方の信号を選択して増幅器４４へ供給するものである。これによってＦＭ放送か、記憶された音声のいずれを聴くか切り替えることができる。このように切替えスイッチ７５でメモリ５６（図１）に記憶された音声か、ＦＭ放送の信号を切替えることによって、増幅器４４を共用して用いることができる。従って別途増幅器を付加する必要がなく、ラジオ付ＭＰ３プレーヤを小型化することができる。このことは携帯機器として非常に重要な点である。
【００４８】
なおこの切替えはデジタル音声処理器４２内に設けられた制御部７６が、外部からの操作スイッチの指令信号に基づいて切替えスイッチ７５の切替えを行う。そして制御部７６は、ＦＭチューナ３５の受信チャンネルを決定するためのデータを、データ送出端子４７を介してＦＭチューナ３５に送信している。さらに、この制御部７６の指示により、Ｄ／Ａ変換器７３とＡ／Ｄ変換器７４のいずれか一方のみを動作させる指示や、メモリ５６（図１）のデータ書き込みや読み込みの指示や、表示の表示内容の指示なども行なっている。
【００４９】
また、本実施の形態におけるデジタル音声処理器４２は、共通端子７５ｃの出力を分配してＡ／Ｄ変換器７４へ供給するようにしてある。これによって、ＦＭ放送受信時には同時にＡ／Ｄ変換器７４を動作させることができるようにしている。これによってＦＭチューナ３５で受信したＦＭ放送をデジタルデータとしてメモリ５６に記憶させることができる。
【００５０】
７７はデジタル音声処理器４２に設けられたクロック端子である。このクロック端子７７の信号は、デジタル音声処理器４２内で制御部７６や信号処理部７２などへ供給され、これらの回路において基準信号として用いられる。
【００５１】
図１において５７は、クロック端子７７と接続される水晶発振器である。ここで、本実施の形態における水晶発振器５７の発振周波数は、２４．５ＭＨｚとしている。そして、このデジタル音声処理器４２のグランド端子５８は、水晶発振器５７のグランド端子５７ａや電池４９の陰極４９ｂと共に、デジタル用グランド５９へ一点接続されている。
【００５２】
なお、液晶パネル５５は表示が切り替る度に、ノイズが発生する。そこで、本実施の形態においてはこの液晶パネル５５と入力端子３４との間をシールドするため、液晶パネル５５の裏面を覆うように銅箔（図示せず）を設けている。そしてさらに、この銅箔をデジタル用グランド５９へ接地することによって、シールドをさらに強化している。
【００５３】
次に６１は、３極型のヘッドホンプラグであり、このヘッドホンプラグ６１をヘッドホンジャック３３へ挿入すると、グランド端子６１ａとグランド端子３３ａとが接続されると同時に、音声信号端子６１ｂと音声信号端子３３ｂとが接続される。
【００５４】
６２はケーブルであり、一重シールド線を用いている。そして、このシールド線の芯線に音声信号が流れ、その外周をグランド線が覆っている一般的なケーブルを用いている。この芯線は、音声信号端子６１ｂに接続されて、音声信号をイヤホン（音声出力器の一例として用いた）６３へ伝達している。そして、これらイヤホン６３からＭＰ３プレーヤで記録された音が出ることとなる。
【００５５】
一方、ケーブルのグランド線は、グランド端子６１ａに接続され、イヤホンのグランドの働きをするとともに、ＦＭチューナ３５で受信するとき、ＦＭ放送信号を受信するアンテナとしても用いられている。そこで、本実施の形態におけるケーブル６２の長さは、約８０ｃｍとしてある。これは、ケーブル６２の長さをＦＭ放送の波長の１／４以上とすることによって、最大感度でケーブル６２がＦＭ放送を受信するアンテナとして働く訳である。
【００５６】
これによって、アンテナとしてケーブル６２で受信したＦＭ放送信号は、グランド端子６１ａ、グランド端子３３ａ、コンデンサ３６を介して入力端子３４へ供給される。ここで、グランド端子６１ａは、インダクタ３７でグランドに接続されているので、ＦＭ放送信号は通さないが、音声信号は通過する。また、コンデンサ３６は、音声信号は通さないが、ＦＭ放送信号は通過する。従って、このインダクタ３７と、コンデンサ３６で形成されるハイパスフィルタでＦＭ放送信号を分離している。
【００５７】
図３は、本実施の形態におけるＦＭチューナ３５のレイアウト図である。８１は、ＦＭチューナ３５のプリント基板であり、幅が１４．３ｍｍであり、長さが１３．０ｍｍ、厚み０．４ｍｍの２層基板を用いている。そしてこのプリント基板８１上にリフローはんだ付けによって電子部品を搭載することによって、ＦＭチューナ３５の回路が構成される。そして、この電子部品を覆うように金属製のカバー（図示せず）が装着され、プリント基板８１のカバー装着端子８２と金属製カバーとがはんだ付けされた後に、電気特性を検査してＦＭチューナ３５が完成する。
【００５８】
このようにして製造されるＦＭチューナ３５は、プリント基板８１の側面に複数個の略半円状の電極部が形成され、この電極部をＦＭチューナ３５の接続端子として用いている。なお、これら端子は、電子部品を搭載したプリント基板８１の表面とは反対の裏面まで導出された構成としておくことで、ＦＭチューナ３５をプリント基板３２へリフローはんだ付けしやすくしている。
【００５９】
そして、入力端子３４とグランド端子３９ａとは一方の側面８３に設けられ、この入力端子３４は、グランド端子３９ａの間に挟まれて配置されている。そして、側面８３の反対側面８４には音声出力端子４０、データ端子４８と電源端子５３が設けられている。これによりグランド端子３９は入力端子３４と同一の側面８３に形成されているので、ＦＭチューナ３５のグランドを入力端子３４の近傍に設けることができる。さらに、入力端子３４の両側にグランド端子３９が設けられているので、さらに入力端子３４に対して、不要なノイズ等が侵入し難くなる。また、側面８３側にはカバー装着端子８２も形成されているので、さらに不要なノイズ等が入力端子３４へ侵入し難くなる。
【００６０】
側面８３に隣接する側面８５にはグランド３９ｂと、カバー装着端子８２ｂのみが設けられている。
【００６１】
８６は、入力端子３４が接続された高周波増幅器であり、入力端子３４へ入力された信号が増幅される。８７は、高周波増幅器８６の出力が一方の入力８７ａに入力されるとともに他方の入力８７ｂには可変局部発振器８８の出力が接続された混合器である。この混合器８７では、入力されたＦＭ放送信号を１０．７ＭＨｚの中間周波数の信号へ変換するものである。なお、本実施の形態においては、８８ＭＨｚから１０８ＭＨｚのＦＭ放送を受信するので、可変局部発振器８８の発振周波数を、９８．７ＭＨｚから１１８．７ＭＨｚまで変化させている。
【００６２】
８９は、混合器８７の出力が接続されたバンドパスフィルタであり、このバンドパスフィルタ８９は、その通過帯域の中心が略中間周波数と同じであり、その通過帯域は、ＦＭ放送のバンド幅と略同じ１８０ＫＨｚである。これによって、中間周波信号のみが取り出される。
【００６３】
そして９０は、バンドパスフィルタ８９に接続され、バンドパスフィルタ８９で取り出された中間周波信号をアナログ音声信号へ変換する処理回路である。そしてこの処理回路９０によってステレオ出力Ｌｃｈ、Ｒｃｈのアナログ音声信号へと変換された信号が音声出力端子４０より出力されることとなる。
【００６４】
なお、可変局部発振器８８にはＰＬＬ回路９１がループ接続されている。このＰＬＬ回路９１では、デジタル音声処理器４２よりデータ端子４８に送られたデータに従い、希望するチャンネルを受信できるように可変局部発振器８８の周波数を変化させている。
【００６５】
また、このＰＬＬ回路９１の基準信号が水晶発振器（図示せず）より、基準信号端子９２より入力されている。そしてこれらの回路は、電源端子５３から供給される電流によって駆動され、ＦＭチューナが動作するわけである。
【００６６】
なおこのような構成のＦＭチューナは、デジタル音声処理器４２（図１）などの部品と同様にプリント基板３２へリフローはんだ付けされる。従って、生産性は良好である。
【００６７】
以上の構成により、入力端子３４とグランド３９ａとが同一の側面８３上に設けられているので、デジタル音声処理器４２で使用する基準発振器５７のクロック信号の高調波などがノイズとしてグランド端子３９ａと入力端子３４間の線路へ侵入することを少なくできる。従って、デジタル音声処理器４２が原因となるビート妨害特性を向上させることができる。
【００６８】
なお、入力端子３４とグランド端子３９ａとが同一の側面８３上に設けられているので、グランド端子３９ａとインダクタ３７のグランド３８とを近接して設けることができる。従って、グランド端子３９ａとグランド３８との間には不要なインダクタンス成分等を有することがない。これにより、インダクタ３７とＦＭチューナ３５とは、共に確りと接地されるので、デジタル音声処理器４２で使用する水晶発振器５７のクロックの高調波などがノイズとしてグランド端子３３ａと入力端子３４間の線路へ侵入することを少なくできる。従って、デジタル音声処理器４２が原因となるビート妨害に対する妨害特性をさらに向上させることができる。
【００６９】
さらに音声信号の増幅には、デジタル音声処理器４２内に設けられた増幅器４４を用いている。一方音声出力端子４０やデータ端子４８や電源端子５３は、入力端子３４の反対側に設けられている。これによって、入力端子３４とヘッドホンジャック３３のグランド３３ａ端子との間の距離は、音声出力端子４０とグランド端子３３ａとの間の距離より小さくなる。つまり、グランド端子３３ａと入力端子３４との距離を近くできると共に、デジタル音声処理器４２をグランド端子３３ａから離れた位置に配置させることができる。従って、デジタル音声処理器４２のクロック信号の高調波などが入力端子３４へ侵入することを少なくできる。従って、デジタル音声処理器４２により発生するビート妨害を防止することができる。
【００７０】
また、データ端子４８や電源端子５３も、入力端子３４の反対側に設けられており、ＦＭチューナ３５とデジタル音声処理器４２間の配線も短くすることができる。従って不要なノイズの侵入を防止することができる。
【００７１】
その上、このような配置とすることによって、グランド３８とデジタル用グランド５９との間隔も離れることとなるとともに、この間隔を有することによってグランド３８とデジタル用グランド５９間にインダクタンス成分を生じることとなるので、グランド３８とデジタル用グランド５９とは高周波的に分離された状態にできる。
【００７２】
さらにまた、ＦＭチューナ３５の電源端子５３は、入力端子３４の反対側の側面８４に設けられているので、デジタル音声処理器４２のクロック信号がＤＣ−ＤＣコンバータ５１へ侵入しても、クロック信号は入力端子３４へ侵入し難くなる。
【００７３】
そしてまたさらに、電源出力端子５２とＦＭチューナ３５の電源端子５３との間にはクロック信号や、その高調波等の高周波信号を遮断するローパスフィルタ５４が挿入されるので、デジタル音声処理器４２のクロック信号によってＤＣ−ＤＣコンバータ５１の電源電圧の変動が生じても、ＦＭチューナの発振器８８の発振周波数の変動を小さくすることができる。
【００７４】
また、デジタル音声処理器４２からＰＬＬ回路９１へ送られるデータが入力されるデータ端子４８も、入力端子３４が設けられた側面８３の反対の側面８５に設けられているので、デジタル音声処理器４２のクロック信号などが入力端子３４へ侵入することが少なくなり、デジタル音声処理器４２が原因で発生するビート妨害などを発生し難くできる。
【００７５】
【発明の効果】
以上のように本発明によれば、音声信号は出力端子に接続された接続端子を介して音声出力器が接続されたケーブルへ供給され、このケーブルで受信された高周波信号は前記接続端子と入力端子間に挿入されるとともに前記高周波信号を通過させるキャパシタを介して前記入力端子へ供給され、前記接続端子のグランド側とグランドとの間にインダクタが挿入され、少なくとも前記入力端子と前記受信部のグランドとは同一辺上に設けられたものであり、これによりデジタル信号処理器で使用する基準発振器のクロックの高調波などがノイズとして接続端子と入力端子間の線路へ侵入することを少なくできる。従って、デジタル信号処理器が原因となるビート妨害排除特性を向上させることができる。
【００７６】
さらに、入力端子と受信部のグランドとは同一辺上に設けられているので、この受信部のグランドとインダクタンスのグランドとを近接して設けることができる。従って、安定したグランドを取ることができるとともに、デジタル信号処理器で使用する基準発振器のクロックの高調波などがノイズとして接続端子と入力端子間の線路へ侵入することを少なくできる。従って、デジタル信号処理器が原因となるビート妨害に対する妨害特性を向上させることができる。
【００７７】
さらに、接続端子のグランドと受信部のグランドとを接続することも容易となり、さらに安定したグランドを取ることができるので、さらにデジタル信号処理器のノイズが原因となるビート妨害に対する妨害特性を向上させることができる。
【図面の簡単な説明】
【図１】本発明の実施の形態におけるラジオ付ＭＰ３プレーヤのレイアウト図
【図２】同、デジタル音声処理器のレイアウト図
【図３】同、高周波受信器のレイアウト図
【図４】従来のラジオ付ＭＰ３プレーヤのレイアウト図
【符号の説明】
３１  ケース
３３  ヘッドホンジャック
３４  入力端子
３５  ＦＭチューナ
３６  コンデンサ
３７  インダクタ
３９  グランド端子
４０  音声出力端子
４２  デジタル音声処理器
６１  ヘッドホンプラグ
６２  ケーブル
６３  イヤホン
【図１】
2004357175.tif 000003
【図２】
2004357175.tif 000004
【図３】
2004357175.tif 000005
【図４】
2004357175.tif 000006